(57)【要約】【課題】照明制御システムにおいて、制御端末機がどの照明器具と接続しているか判別するのが難しかった。【解決手段】本発明の制御端末機２００は、照明器具３００が接続され、外部機器から受信した信号を照明器具３００に送信するものであり、電源線が挿し込まれ外部から電力が入力される電源端子台２３１と、前記電力により駆動し、前記信号を前記照明器具３００に送信できるように制御する制御ユニット２２０と、前記電源端子台２３１と前記制御ユニット２３０と電気的に接続し、前記制御ユニット２２０への前記電力の供給状態を制御するスイッチ部２３４とを備えることで、接続された照明器具３００を容易に特定することができる。【選択図】  図２
2020194621.tif 000002
【特許請求の範囲】
【請求項１】
照明器具が接続され、外部機器から受信した信号を前記照明器具に送信する制御端末器であって、
前記制御端末器は、
電源線が挿し込まれ外部から電力が入力される電源端子台と、
前記電力により駆動し、前記信号を前記照明器具に送信できるように制御する制御ユニットと、
前記電源端子台と前記制御ユニットと電気的に接続し、前記制御ユニットへの前記電力の供給状態を制御するスイッチ部と、
前記電源端子台、前記制御ユニットと前記スイッチ部とを収容し、被取付部に固定されるケースと、を備え、
前記ケースは、被取付部に固定される為の固定穴を有し、
前記スイッチ部は、前記供給状態を操作する操作部を有し、
前記操作部は、前記固定穴と隣接するとともに、前記固定穴から離れるように可動した状態で前記制御ユニットへ前記電力を供給する制御端末器。
【請求項２】
前記ケースは、前記制御ユニットと前記スイッチ部が取り付けられる板状のフレーム取付部を有し、
前記スイッチ部は、前記操作部が前記フレーム取付部と平行な方向に可動する請求項1に記載の制御端末器。
【請求項３】
請求項１または請求項２のいずれか一項に記載された制御端末器と、
前記制御端末器に信号を送付するコントローラと、
前記制御端末器に接続された照明器具と、
を備えた照明制御システム。
【発明の詳細な説明】
【技術分野】
【０００１】
本発明は、照明制御システムに用いられる制御端末器に関するものである。
【背景技術】
【０００２】
従来から、天井に設置された照明器具の点灯状態を遠隔から制御する照明システムがある。
【０００３】
例えば、複数の照明器具が接続された制御端末機と、複数の制御端末器が接続される制御部とを備え、制御部から送付される信号に従って照明器具の点灯状態を制御するものがある。（例えば、特許文献１参照）
【先行技術文献】
【特許文献】
【０００４】
【特許文献１】特開２０１３−２０１０８７号公報
【発明の概要】
【発明が解決しようとする課題】
【０００５】
しかしながら、複数の照明器具と制御端末器は信号線で接続され、複数の制御端末機と制御部も信号線で接続されており、照明器具が設置された天井の裏側には信号線が複数設置されている。また、天井の裏側には、制御端末器や照明器具などに外部商用電源から電力供給を受ける為の電源線なども配置されており、天井の裏側を確認しても制御端末機がどの信号線によりどの照明器具と接続しているのか判別するのが難しかった。
【０００６】
そこで、本発明は、上記のような課題を解決する為になされたもので、接続された照明器具を容易に特定できる端末機を提供することを目的とする。
【課題を解決するための手段】
【０００７】
本発明の制御端末機は、照明器具が接続され、外部機器から受信した信号を前記照明器具に送信する制御端末器であって、前記制御端末器は、電源線が挿し込まれ外部から電力が入力される電力入力部と、前記電力により駆動し、前記信号を前記照明器具に送信できるように制御する制御ユニットと、前記電力入力部と前記制御ユニットと電気的に接続し、前記制御ユニットへの前記電力の供給状態を制御するスイッチ部と、前記電力入力部、前記制御ユニットと前記スイッチ部とを収容し、被取付部に固定されるケースと、を備え、前記ケースは、被取付部に固定される為の固定穴を有し、前記スイッチ部は、前記供給状態を操作する操作部を有し、前記操作部は、前記固定穴と隣接するとともに、前記固定穴から離れるように可動した状態で前記制御ユニットへ前記電力を供給するものを備えているものである。
【発明の効果】
【０００８】
本発明の制御端末器は、接続された照明器具を容易に特定できるものである。
【図面の簡単な説明】
【０００９】
【図１】実施の形態１における照明制御システムの構成図である。
【図２】実施の形態１における制御端末器の斜視図である。
【図３】実施の形態１における制御端末器の斜視図である。
【図４】実施の形態１における制御端末器の斜視図である。
【図５】実施の形態１における端子台ユニットの分解斜視図である。
【図６】実施の形態１における制御端末器の正面図である。
【図７】実施の形態１における制御端末器のB部拡大図である。
【図８】実施の形態１における照明制御システムの変形例を示す参考図である。
【発明を実施するための形態】
【００１０】
実施の形態１．
本発明は、照明制御システムにおいて、接続された照明器具を容易に特定できる制御端末器に関するものである。
以下、本発明に係る実施の形態として、制御端末器および照明制御システムについて説明する。
【００１１】
図１は本実施の形態における照明制御システム１の構成図である。
照明制御システム１は、例えば、オフィスビルや各種施設などの各フロアや各エリアなどの照明エリア毎に設置される照明器具を遠隔制御するものである。
照明制御システム１は、コントローラ１００と、コントローラに接続する制御端末器２００と、制御端末器２００に接続する複数の照明器具３００とを備えている。コントローラ１００、制御端末器２００と照明器具３００は信号線１０で接続されている。
照明制御システム１は、コントローラ１００から送付される信号が制御端末器２００を介して複数の照明器具３００に送付され、照明器具３００が受信した信号により点灯状態を制御されるものである。
なお、照明器具３００としては、天井に取り付けられるものであり、例えば、ランプやＬＥＤを光源として用いたものである。また、複数の照明器具３００はそれぞれ異なる仕様のものであっても良い。
【００１２】
コントローラ１００は、図示しない壁スイッチや無線リモコンなどの操作機器と有線もしくは無線接続しており、接続する操作機器から送付される操作信号に基づき、複数の照明器具３００を制御するための制御信号を制御端末器２００に送付する。
【００１３】
制御端末器２００は、外部電源２０から電力供給を受けて駆動し、コントローラ１００から送付される制御信号を受信した、受信した制御信号を振幅させ接続された複数の照明器具３００に発信する。制御端末器２００は、受信した制御信号を振幅させることで増幅することができ、接続される照明器具３００の数を増やすことができる。
【００１４】
次に、図２から図７を用いて、制御端末器２００の構成を説明する。図２は制御端末器２００の斜視図である。図３は図２に示す制御端末器２００の分解斜視図である。図４は図３に示すＡ方向からみた制御端末器２００の分解斜視図である。図５は図３に示す端子台ユニット２３０の分解斜視図である。図６は図２に示す制御用端末器２００の正面図である。図７は図６に示す制御端末器２００のＢ部の拡大図であり、スイッチ部２３４の動作を示すものである。
なお以下の説明では、図2に示す矢印のように、制御端末器の幅方向をＸ方向、高さ方向をＹ方向、Ｘ方向ＸおよびＹ方向Ｙに直交する奥行き方向をＺ方向とする。X方向、Y方向とZ方向はそれぞれが互いに直行する方向である。
制御端末器２００は、フレーム２１０と、制御ユニット２２０と、端子台ユニット２３０と、カバー２４０とを備えている。
【００１５】
フレーム２１０は、制御ユニット２２０と端子台ユニット２３０を保持し、壁や吊ボルトなどの被取付部に固定するものである。フレーム２１０は、板状の金属で形成されている。
フレーム２１０は、制御ユニット２２０と端子台ユニット２３０が取り付けられるフレーム取付部２１１と、フレーム取付部２１１のＹ方向における両側に設けられたフレーム脚部２１２とを備えている。
フレーム脚部２１２は、制御端末器２００を被取付部に固定するための固定穴２１２１が設けられている。
フレーム取付部２１１とフレーム脚部２１２は、X方向とY方向からなる平面と平行に設けられている。
【００１６】
制御ユニット２２０は、コントローラ１００から送付される制御信号を受信し、受信した制御信号を変換して接続された複数の照明器具３００の送信するものである。
制御ユニット２２０は、内部に入力された制御信号を変換させる図示しない制御回路が配設されており、制御回路を駆動させるための電力が入力される電力入力部２２１と、制御回路にコントローラ１００から送付される制御信号が入力される信号入力部２２２と、制御回路により変換された変換信号を出力する信号出力部２２３とを有している。
制御ユニット２２０は、例えば、制御回路が制御信号を振幅させるよう変換するものである。制御ユニット２２０は、制御回路が制御信号を振幅させることで、制御信号が増幅し、複数の照明器具３００を制御することができる。
【００１７】
端子台ユニット２３０は、制御ユニット２２０に接続し、制御ユニット２２０への電力供給および信号の入出力をするものである。
端子台ユニット２３０は、電源端子台２３１と、信号入力端子台２３２と、信号出力端子台２３３と、スイッチ部２３４と、取付台２３５を備えている。
【００１８】
電源端子台２３１は、外部電源から電力供給を受けるための電源線が接続されるものである。電源端子台２３１は、制御端末器２００に外部電源からの電力が入力される電力入力部である。
電源端子台２３１は、一面に電源線が挿し込まれる電源線挿し込み穴２３１１が設けられている。また、電源端子台２３１は、図示しない電線で制御ユニット２２０の電力入力部２２１と接続し、制御回路に外部電源からの電力を供給する。
【００１９】
信号入力端子台２３２は、コントローラ１００から制御信号を受信するために伝送線が接続されるものである。
信号入力端子台２３２は、一面に伝送線が挿し込まれる信号入力用穴２３２１が設けられている。また、信号入力端子台２３２は、図示しない信号線で制御ユニット２２０の信号入力部２２２と接続し、制御回路に制御信号を伝送している。
【００２０】
信号出力端子台２３３は、制御回路から変換信号を照明器具３００に発信するために伝送線が接続されるものである。
信号出力端子台２３３は、一面に伝送線が挿し込まれる信号出力用穴２３３１が設けられている。また、信号出力端子台２３３は、図示しない信号線で制御ユニット２２０の信号出力部２２３と接続し、制御回路から変更信号を伝送している。
【００２１】
スイッチ部２３４は、電源端子台２３１から制御ユニット２２０への電力供給を制御するものであり、電力の供給と停止を切り替えするものである。スイッチ部２３４は、電源端子台２３１および制御ユニット２２０と電気的に接続し、電源端子台２３１と制御ユニット２２０を接続する図示しない電線の間に設けられている。
スイッチ部２３４は、電力の供給と停止を切り替えする操作部２３４１を備えており、操作部２３４１はＸ方向において揺動するように可動する。スイッチ部２３４は図７において、操作部２３４１の先端である操作先端部２３４１１が中心線ＣＬ側にあるときに電力を停止し、操作部２３４１の先端２３４１１が中心線ＣＬから遠い側にあるときに電力を供給する。つまり、スイッチ部２３４は、操作部２３４１が固定穴２１２１から離れるように可動することで、電力を供給する。
なお、操作部２３４１の揺動は、フレーム取付部２１１に対して平行な方向に可動する。
【００２２】
取付台２３５は、電源端子台２３１と、信号入力用端子台２３２と、信号出力用端子台２３３と、スイッチ部２３４を保持し、フレーム２１０のフレーム取付部２１１に固定する。
取付台２３５は、電源端子台２３１、信号入力用端子台２３２と信号出力用端子台２３３が取り付けられる端子台取付部２３５１と、スイッチ部２３４を固定するスイッチ固定部２３５２と、フレーム取付部２１１に固定される取付台脚部２３５３とを備えている。
端子台取付部２３５１は、電源端子台電源端子台２３１、信号入力用端子台２３２と信号出力用端子台２３３は、電源挿し込み穴２３３１、信号入力用穴２３２１、信号出力用穴２３３１それぞれがフレーム取付部２１１に対して反対側を向くように設けられている。
スイッチ固定部２３５２は、端子台取付部２３５１とフレーム取付部２１１の間にスイッチ部２３４が配設されるように設けられている。また、スイッチ固定部２３５２は、操作部２３４１がカバー２４０より突設するようにスイッチ部２３４を保持している。
なお、端子台ユニット２３０と制御ユニット２２０を接続する図示しない電線および信号線は、端子台取付部２３５１とフレーム取付部２１１との間に収容されている。
【００２３】
カバー２４０は、制御ユニット２２０および端子台ユニット２３０を覆うようにフレーム２１０に取り付けられるものである。カバー２４０は、板状の金属で形成されている。
カバー２４０は、端子台ユニット２３０の電源挿し込み穴２３３１、信号入力用穴２３２１、信号出力用穴２３３１が露出するように端子台用開口２４１と、スイッチ部２３４の操作部２３４１と干渉しないようスイッチ用切り欠き部２４２が設けられている。
【００２４】
フレーム２２０とカバー２４０は、制御ユニット２２０と端子台ユニット２３０を囲むケースである。制御ユニット２２０と端子台ユニット２３０は、金属で形成されたフレーム２２０とカバー２４０とで囲まれることで、火災や衝撃からの影響が抑制される。
【００２５】
制御端末器２００は、制御ユニット２２０への電力供給を制御するスイッチ部２３４を、スイッチ部２３４の操作部２３４１が固定穴２１２１から離れた状態で制御ユニット２２０への電力を供給するように設けている。よって、制御端末器２２０を被取付部に固定するときに、操作部２３４１が固定の為のネジやナット、取付金具と干渉することを抑制することができ、ネジやナット、取付金具と操作部２３４１が干渉して意図せずに可動することを抑制することができる。つまり、意図せずに制御ユニット２２０への電力供給が停止になるのを抑制することができる。
【００２６】
以上が制御端末器２００の構成である。次に、制御端末器２００に接続された照明器具３００の特定方法に関して説明をおこなう。
図８は、照明制御システム１の構成図の変形例である。照明制御システム１は、複数の制御端末器２００Ａ、２００Ｂ、２００Ｃが並列に接続されており、複数の制御端末器２００Ａ、２００Ｂ、２００Ｃには、それぞれ複数の照明器具３００ＡＡ、３００ＡＢ、３００ＡＣ、・・・３００ＣＣが接続されている。
作業者は、制御端末器２００のスイッチ部２３４の操作部２３４１を操作することで、制御ユニット２２０への電力供給が停止され、制御回路も停止される。よって、制御端末器３００に接続続されている照明器具３００への信号送付も停止され、接続されている数の照明器具３００は消灯する。
このとき、接続されている照明器具３００に不具合が起こり消灯していると、スイッチ部２３４を操作しても、接続されている数の照明器具３００よりも少ない数の照明器具３００しか消灯させることができない。よって、不具合が起こっている照明器具３００と接続している制御端末器２００を特定することができる。
例えば、制御端末器２００Ｂに接続する照明器具３００ＢＢが不具合で消灯していると、制御端末器２００Ｂのスイッチ部２３４を操作しても２つの照明器具３００ＢＡ、３００ＢＣしか消灯されず、制御端末器２００Ｂが不具合の起こった照明器具３００ＢＢと接続していることが特定できる。
このように複数の照明器具３００ＡＡ、３００ＡＢ、３００ＡＣ、・・・３００ＣＣのうちいずれかの照明器具３００に不点灯などの不具合が起きた場合に、制御端末器２００がスイッチ部２３４を有していることで、不具合が起きた照明器具３００と接続する制御端末器２００を容易に特定することができる。
【００２７】
本実施の形態の制御システムは、制御端末器２００が制御ユニット２２０の制御回路の駆動を停止させるスイッチ部２３４を有していることで、制御端末器２００に接続されている照明器具３００に不具合が起こったときに、制御端末器２００と照明器具３００を接続する信号線を辿ったり、制御端末器２００に接続された電力供給の為の電源線を外したりしなくて良く、照明器具３００が接続された制御端末器２００を容易に特定することができる。
【００２８】
本実施の形態のスイッチ部２３４は、X方向に沿って可動する構成を説明したが、Z方向に可動するように配置してもよい。Z方向に可動するように配置して場合は、操作部２３４の操作先端部２３４１がフレーム脚部２１２から離れるように可動したときに電力を供給することで、操作部を固定穴側に設けた方がネジやナット、取付金具と干渉するのを抑制することができる。
【００２９】
本実施の形態のスイッチ部２３４は、トグルスイッチの形状をした構成を説明したが、シーソ式スイッチの形状でもよい。シーソ式スイッチは、操作部の先端がフレーム２１０に入り込むように操作されたときに電力を供給するものであり、操作部を固定穴側に設けた方がネジやナット、取付金具と干渉するのを抑制することができる。
【００３０】
本実施の形態の照明制御システムは、複数の制御端末器２００A、２００B、２００Cがコントローラ１００に対して並列に接続する形態を説明したが、複数の制御端末器２００A、２００B、２００Cがコントローラ１００に対して直列に接続するようなものでも良い。
【符号の説明】
【００３１】
１  照明制御システム、１０  信号線、２０  外部電源、１００  コントローラ、２００  制御端末器、２１０  フレーム、２１１  フレーム取付部、２１２  フレーム脚部、２１２１  固定穴、２２０  制御ユニット、２２１  電力入力部、２２２  信号入力部、２２３  信号出力部、２３０  端子台ユニット、２３１  電源端子台、２３１１  電源線挿し込み穴、２３２  信号入力端子台、２３２１ 信号入力用穴、２３３  信号出力端子台、２３３１  信号出力用穴、２３４  スイッチ部、２３４１  操作部、２３４１１  操作先端部、２３５  取付台、２３５１  端子台取付部、２３５２  スイッチ取付部、２３５３  取付台脚部、２４０  カバー、２４１  端子台用開口、２４２  スイッチ用開口、３００  照明器具。
【図１】
2020194621.tif 000003
【図２】
2020194621.tif 000004
【図３】
2020194621.tif 000005
【図４】
2020194621.tif 000006
【図５】
2020194621.tif 000007
【図６】
2020194621.tif 000008
【図７】
2020194621.tif 000009
【図８】
2020194621.tif 000010